(57)【要約】【課題】    ゴルフでボールをジャストミートすることは難しい。その原因をクラブヘッドの重心がシャフトの中心線から離れていることにあると考える。つまりクラブヘッドがシャフトに対しオフセットしてついているためである。また、ゴルフクラブは先端が極端に重いため、クラブのコントロールはさらに難しい。【解決手段】    クラブヘッドの付いていないシャフトの両端にグリップの軸線に対し、交差する方向に軸線を有するウエイトが装着され、そのウエイトは前記クラブヘッドの付いていないシャフトのグリップの軸線を中心に回転する方向に可動できる練習器具である。さらに前記ウエイトは取り外し可能であり、重さを調節することで、バランスを変えて練習ができる。前記ウエイトの効果により、正しいスイングプレーンとリストワークを習得できる。また先端にＬＥＤなどを装着しスイングを視認できる。【選択図】図１
2008080082.tif 000002
【特許請求の範囲】
【請求項１】
クラブヘッドの付いていないシャフトの両端に、前記クラブヘッドの付いていないシャフトのグリップの軸線に対し、交差する方向に軸線を有するウエイトを装着したゴルフ練習器具。
【請求項２】
前記クラブヘッドの付いていないシャフトの両端に、前記クラブヘッドの付いていないシャフトのグリップの軸線に対し、交差する方向に軸線を有するウエイトが、前記クラブヘッドの付いていないシャフトのグリップの軸線を中心に回転する方向に可動できる請求項１に記載のゴルフ練習器具。
【請求項３】
前記クラブヘッドの付いていないシャフトの両端に、前記クラブヘッドの付いていないシャフトのグリップの軸線に対し、交差する方向に軸線を有するウエイトが、取り外し可能であり、前記ウエイトの重さを調節することで、バランスを変えて練習ができる請求項１に記載のゴルフ練習器具。
【請求項４】
前記クラブヘッドの付いていないシャフトの先端に視覚に訴えるマークを備え、当該マークは、発光体、反射テープ、蛍光塗料の塗布体の少なくともいずれかからなり、マークによりスイング軌道が視認できる請求項１に記載のゴルフ練習器具。
【発明の詳細な説明】
【技術分野】
【０００１】    本発明はゴルフ練習器具に関するものである。
【背景技術】
【０００２】    ゴルフクラブは先端が極端に重く、またヘッドの重心はシャフトの中心軸からずれている。この先端が極端に重く、しかも重心がシャフトの中心軸からずれているゴルフクラブを、バランスよく振ることは難しい。【０００３】    従来から、棒状の物をスイングする練習器具は多くあるが、クラブヘッドの重心をコントロールする技術を身に付けることは出来なかった。【０００４】    なお、関連する先行技術文献として次のような文献がある。
【特許文献１】    特開２０００−５３５８
【発明の開示】
【発明が解決しようとする課題】
【０００５】    つまりゴルフクラブのヘッドの重心をコントロールできれば比較的容易にボールをミートできる。【０００６】    先端が極端に重く、クラブヘッドの重心がシャフトの中心軸からずれているゴルフクラブの操作を習得し、重心のコントロール性を高め、効率の良いスイングを身に付けることができるゴルフ練習器具を提供することを目的とする。
【課題を解決するための手段】
【０００７】    上記の目的を達成するため、クラブヘッドの付いていないシャフトの両端付近に、グリップの軸線に対し、交差する方向に軸線を有するウエイトを装着したゴルフ練習器具を提供する。【０００８】    そして、前記クラブヘッドの付いていないシャフトの両端付近に装着した、グリップの軸線に対し、交差する方向に軸線を有する前記ウエイトが、前記クラブヘッドの付いていないシャフトのグリップの軸線を中心に回転する方向に可動できるものもあり、これにより正しいスイングを習得できる。【０００９】    さらに前記ウエイトは取り外しが可能であり、前記ウエイトの重さを任意に調節することで、バランスを変えて練習できるものもある。【００１０】    さらに前記クラブヘッドの付いていないシャフトの先端に視覚に訴えるマークを備え、当該マークは、発光体、反射テープ、蛍光塗料の塗布体の少なくともいずれかからなり、マークによりスイング軌道が視認できるものもある。
【発明の効果】
【００１１】    本発明の前記ゴルフ練習器具で練習すると、通常のゴルフクラブが極端にクラブヘッド側に重量があること、及びクラブヘッドの重心がシャフトの中心軸からずれていることから来る不安定なバランスを改善し、理想的なスイングを身に付けられる。【００１２】    通常のゴルフクラブは先端が極端に重い。一方前記ゴルフ練習器具は両端付近にウエイトが装着されているためバランスが良い。そのため自然と正しいスイングが身に付く。【００１３】    また、通常のゴルフクラブのヘッドの重心は、シャフトの中心軸からずれている。しかもクラブヘッドは、グリップする手元から遠くにある。そのためスイング中にバランスが悪くなり、正しくボールを打つことが難しい。【００１４】    ゴルフの上達には、ゴルフクラブのヘッドの重心位置を感じる感覚と、ヘッドの重心をコントロールする技術を身につけることがポイントとなる。【００１５】    前記ゴルフ練習器具は、通常のゴルフクラブと違い、シャフトの手元側にも、グリップの軸線に対し、交差する方向に軸線を有するウエイトを装着しているため、クラブヘッドの重心を手元付近で感じる感覚が身に付けやすい。【００１６】    また、前記手元側と前記先端のウエイトは、自由にグリップの軸線を中心に回転させ、その角度を調節することが出来るのため、通常のゴルフクラブをスイングする際にクラブヘッドがオープンになったりクローズになったりするプレイヤーの癖や、アウトサイド・イン、あるいはインサイド・アウトのスイングプレーンも簡単に修正できる。【００１７】    さらに、前記手元側と前記先端のウエイトの効果により、インパクトゾーンでの正しいリストワークを習得できる。【００１８】    さらに、先端にはＬＥＤなどの発光体があるため、スイング軌道が視認できる。
【発明を実施するための最良の形態】
【００１９】    次に図１に第１実施例をあげる。図１に示すように、クラブヘッドの付いていないシャフトの両端に、グリップの軸線に対し、交差する方向に軸線を有する、取り外し可能なウエイトを装着したゴルフ練習器具である。【００２０】    また、図２、図３に示すように、調節ボルト、調節ナットにより、前記ウエイトをグリップの軸線を中心に回転する方向に可動することによって、スイングの軌道を修正できる。【００２１】    そして、練習用マットなどの上にボール大の印をつけておき、それをボールだと思いスイングをしてみる。その際大切なことは、あくまでも前記ゴルフ練習器具の先端を、前記ボールに見立てた印の上を通過させるようにスイングすることである。これが練習となる。【００２２】    この練習を、前記ボールに見立てた印の上を通過させられるようになるまで続けた後、通常のゴルフクラブで実際にボールを打つと、これまで以上に正確に、しかも簡単にボールをジャストミートすることができる。
【図面の簡単な説明】
【００２３】
【図１】ゴルフ練習器具
【図２】コントロールウエイト
【図３】バランスウエイト
【符号の説明】
【００２４】    １シャフト
２グリップ
３コントロールウエイト
４バランスウエイト
５角度調節ボルト
６切り込み
７角度調節ナット
【図１】
2008080082.tif 000003
【図２】
2008080082.tif 000004
【図３】
2008080082.tif 000005